(57)【特許請求の範囲】
【請求項１】
測定された信号サンプル中のモードの数を検出することと、各モードは頻度に対応する、
前記検出することに基づいて、また、前記モードの少なくとも１つの前記頻度がしきい値を満たすかに基づいて、信号がマルチモーダル分布を含んでいるときを判断することと、
前記判断することに基づいて共存インジケーションを作成することと
を備える、ワイヤレス通信のための方法。
【請求項２】
前記検出することは、
前記測定された信号サンプル中の第１のモードを識別することと、
前記測定された信号サンプル中の前記第１のモードの第１の出現頻度を判断することと、
前記測定された信号サンプルの一部分中の第２のモードを識別することと、
前記測定された信号サンプルの前記一部分中の前記第２のモードの第２の出現頻度を判断することと
を備え、
前記信号が前記マルチモーダル分布を含んでいるときを判断することは、前記第２の出現頻度がしきい値を上回ることに基づく、請求項１に記載の方法。
【請求項３】
前記しきい値は、前記第１の出現頻度に基づく、
請求項２に記載の方法。
【請求項４】
前記共存インジケーションを前記作成することは、前記第１の出現頻度および／または前記第２の出現頻度にさらに基づく、
請求項２に記載の方法。
【請求項５】
前記信号が前記マルチモーダル分布を含んでいるときを判断することは、前記第１のモードと前記第２のモードとのメトリック値が少なくとも第２のしきい値だけ異なることに基づく、請求項２に記載の方法。
【請求項６】
前記メトリック値は、信号品質値を備える、
請求項５に記載の方法。
【請求項７】
共存メッセージをサービング基地局に送信することをさらに備え、前記共存メッセージは、前記共存インジケーションを備える、
請求項１に記載の方法。
【請求項８】
前記共存メッセージは、前記測定された信号サンプル中のモードの測定された数、干渉無線アクセス技術（ＲＡＴ）の信号強度、前記干渉ＲＡＴのデューティサイクル、または前記干渉ＲＡＴのタイプのうちの少なくとも１つをさらに備える、
請求項７に記載の方法。
【請求項９】
前記測定された信号サンプルに基づいて干渉無線アクセス技術（ＲＡＴ）を識別することをさらに備える、
請求項１に記載の方法。
【請求項１０】
干渉ＲＡＴは、前記干渉ＲＡＴの干渉バースト長、デューティサイクル、あるいは他の時間または周波数特徴のうちの少なくとも１つに基づいて識別される、
請求項１に記載の方法。
【請求項１１】
前記共存インジケーションを作成することは、複数のデバイス内無線アクセス技術（ＲＡＴ）の同時動作にさらに基づく、
請求項１に記載の方法。
【請求項１２】
前記信号サンプルは、パイロットシンボルと非パイロットシンボルとにわたって測定される、
請求項１に記載の方法。
【請求項１３】
測定された信号サンプル中のモードの数を検出するための手段と、各モードは頻度に対応する、
前記検出することに基づいて、また、前記モードの少なくとも１つの前記頻度がしきい値を満たすかに基づいて、信号がマルチモーダル分布を含んでいるときを判断するための手段と、
前記判断することに基づいて共存インジケーションを作成するための手段と
を備える、ワイヤレス通信のための装置。
【請求項１４】
前記検出するための手段は、
前記測定された信号サンプル中の第１のモードを識別するための手段と、
前記測定された信号サンプル中の前記第１のモードの第１の出現頻度を判断するための手段と、
前記測定された信号サンプルの一部分中の第２のモードを識別するための手段と、
前記測定された信号サンプルの前記一部分中の前記第２のモードの第２の出現頻度を判断するための手段と
を備え、
前記信号が前記マルチモーダル分布を含んでいるときを判断するための前記手段は、前記第２の出現頻度がしきい値を上回ることに基づく、
請求項１３に記載の装置。
【請求項１５】
ワイヤレスネットワークにおけるワイヤレス通信のためのコンピュータプログラムであって、
少なくとも１つのプロセッサによって実行されるプログラムコードを備え、前記プログラムコードは、
測定された信号サンプル中のモードの数を検出するためのプログラムコードと、各モードは頻度に対応する、
前記検出することに基づいて、また、前記モードの少なくとも１つの前記頻度がしきい値を満たすかに基づいて、信号がマルチモーダル分布を含んでいるときを判断するためのプログラムコードと、
前記判断することに基づいて共存インジケーションを作成するためのプログラムコードと
を備える、コンピュータプログラム。
【請求項１６】
検出するための前記プログラムコードは、
前記測定された信号サンプル中の第１のモードを識別するためのプログラムコードと、
前記測定された信号サンプル中の前記第１のモードの第１の出現頻度を判断するためのプログラムコードと、
前記測定された信号サンプルの一部分中の第２のモードを識別するためのプログラムコードと、
前記測定された信号サンプルの前記一部分中の前記第２のモードの第２の出現頻度を判断するためのプログラムコードと
を備え、
前記信号が前記マルチモーダル分布を含んでいるときを判断するための前記プログラムコードは、前記第２の出現頻度がしきい値を上回ることに基づく、
請求項１５に記載のコンピュータプログラム。
【請求項１７】
メモリと、
前記メモリに結合された少なくとも１つのプロセッサであって、
測定された信号サンプル中のモードの数を検出することと、各モードは頻度に対応する、
前記検出することに基づいて、また、前記モードの少なくとも１つの前記頻度がしきい値を満たすかに基づいて、信号がマルチモーダル分布を含んでいるときを判断することと、
前記判断することに基づいて共存インジケーションを作成することと
を行うように構成される少なくとも１つのプロセッサと
を備える、ワイヤレス通信のための装置。
【請求項１８】
前記少なくとも１つのプロセッサは、
前記測定された信号サンプル中の第１のモードを識別することと、
前記測定された信号サンプル中の前記第１のモードの第１の出現頻度を判断することと、
前記測定された信号サンプルの一部分中の第２のモードを識別することと、
前記測定された信号サンプルの前記一部分中の前記第２のモードの第２の出現頻度を判断することと
を行うようにさらに構成され、
前記信号が前記マルチモーダル分布を含んでいるときを判断するように構成された前記少なくとも１つのプロセッサは、前記第２の出現頻度がしきい値を上回ることに基づく、
請求項１７に記載の装置。
【請求項１９】
前記しきい値は、前記第１の出現頻度に基づく、
請求項１８に記載の装置。
【請求項２０】
前記共存インジケーションを前記作成するように構成された前記少なくとも１つのプロセッサは、前記第１の出現頻度および／または前記第２の出現頻度にさらに基づく、
請求項１８に記載の装置。
【請求項２１】
前記信号が前記マルチモーダル分布を含んでいるときを判断するように構成された前記少なくとも１つのプロセッサは、前記第１のモードと前記第２のモードとのメトリック値が少なくとも第２のしきい値だけ異なることに基づく、
請求項１８に記載の装置。
【請求項２２】
前記メトリック値は、信号品質値を備える、
請求項２１に記載の装置。
【請求項２３】
前記少なくとも１つのプロセッサは、共存メッセージをサービング基地局に送信するようにさらに構成され、前記共存メッセージは、前記共存インジケーションを備える、
請求項１８に記載の装置。
【請求項２４】
前記共存メッセージは、前記測定された信号サンプル中のモードの測定された数、干渉無線アクセス技術（ＲＡＴ）の信号強度、前記干渉ＲＡＴのデューティサイクル、または前記干渉ＲＡＴのタイプのうちの少なくとも１つをさらに備える、
請求項２３に記載の装置。
【請求項２５】
前記少なくとも１つのプロセッサは、前記測定された信号サンプルに基づいて干渉無線アクセス技術（ＲＡＴ）を識別するようにさらに構成される、
請求項１８に記載の装置。
【請求項２６】
干渉ＲＡＴは、前記干渉ＲＡＴの干渉バースト長、デューティサイクル、あるいは他の時間または周波数特徴のうちの少なくとも１つに基づいて識別される、
請求項１８に記載の装置。
【請求項２７】
前記共存インジケーションを作成することは、複数のデバイス内無線アクセス技術（ＲＡＴ）の同時動作にさらに基づく、
請求項１８に記載の装置。
【請求項２８】
前記信号サンプルは、パイロットシンボルと非パイロットシンボルとにわたって測定される、
請求項１８に記載の装置。
【発明の詳細な説明】
【関連技術】
【０００１】
関連出願の相互参照  
本出願は、開示の全体が参照により本明細書に明確に組み込まれる、ＳＡＤＥＫらの名前で２０１２年１月５日に出願された米国仮特許出願第６１／５８３，５８２号と、ＳＡＤＥＫらの名前で２０１２年７月３日に出願された米国仮特許出願第６１／６６７，７８１号とに関する。
【技術分野】
【０００２】
本明細書は、一般に、複数無線技法に関し、より詳細には、複数無線デバイスのための共存技法に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ：Long Term Evolution）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力または多入力多出力（ＭＩＭＯ）システムを介して確立され得る。
【０００５】
いくつかの従来の高度のデバイスは、異なる無線アクセス技術（ＲＡＴ：Radio Access Technology）を使用して送信／受信するための複数の無線機を含む。ＲＡＴの例には、たとえば、ユニバーサルモバイルテレコミュニケーションシステム（ＵＭＴＳ：Universal Mobile Telecommunication System）、モバイル通信用グローバルシステム（ＧＳＭ（登録商標）：Global System for Mobile Communications）、ｃｄｍａ２０００、ＷｉＭＡＸ（登録商標）、ＷＬＡＮ（たとえば、ＷｉＦｉ（登録商標）、Ｂｌｕｅｔｏｏｔｈ（登録商標）、ＬＴＥなどがある。
【０００６】
例示的なモバイルデバイスは、第４世代（４Ｇ）モバイルフォンなど、ＬＴＥユーザ機器（ＵＥ：User Equipment）を含む。そのような４Ｇフォンは、ユーザに様々な機能を提供するための様々な無線機を含み得る。この例では、４Ｇフォンは、ボイスおよびデータ用のＬＴＥ無線機と、ＩＥＥＥ８０２．１１（ＷｉＦｉ）無線機と、全地球測位システム（ＧＰＳ）無線機と、Ｂｌｕｅｔｏｏｔｈ無線機とを含み、上記のうちの２つまたは４つすべてが同時に動作し得る。様々な無線機が電話に有用な機能を提供する一方、単一デバイス中にそれらを含めることは共存問題を生じる。詳細には、１つの無線機の動作が、場合によっては、放射性、伝導性のリソース衝突、および／または他の干渉機構を通して別の無線機の動作に干渉し得る。共存問題はそのような干渉を含む。
【０００７】
これは、産業科学医療用（ＩＳＭ：Industrial Scientific and Medical）帯域に隣接しており、この帯域との干渉を生じ得るＬＴＥアップリンクチャネルについて特に当てはまる。ＢｌｕｅｔｏｏｔｈおよびいくつかのワイヤレスＬＡＮ（ＷＬＡＮ）チャネルがＩＳＭ帯域内に入ることに留意されたい。いくつかの事例では、バンド７、さらにはバンド４０のいくつかのチャネル中でＬＴＥがアクティブであるとき、Ｂｌｕｅｔｏｏｔｈチャネル状態によっては、Ｂｌｕｅｔｏｏｔｈ誤り率が許容できなくなり得る。ＬＴＥに対する著しい劣化はないが、Ｂｌｕｅｔｏｏｔｈを用いた同時動作は、Ｂｌｕｅｔｏｏｔｈヘッドセットにおいて終端するボイスサービスの混乱を生じ得る。そのような混乱は消費者にとって許容できないものであり得る。ＬＴＥ送信がＧＰＳに干渉するとき、同様の問題が存在する。ＬＴＥ自体は劣化を受けないので、現在、この問題を解決することができる機構は存在しない。
【０００８】
特にＬＴＥに関して、ＵＥは、発展型ノードＢ（ｅＮＢ、たとえば、ワイヤレス通信ネットワーク用の基地局）と通信して、ダウンリンク上でＵＥが受けた干渉をそのｅＮＢに通知することに留意されたい。さらに、ｅＮＢは、ダウンリンク誤り率を使用してＵＥにおける干渉を推定することが可能であり得る。いくつかの事例では、ｅＮＢおよびＵＥは協働して、ＵＥにおける干渉、さらにはＵＥ自体の内部の無線機による干渉を低減するソリューションを発見することができる。しかしながら、従来のＬＴＥでは、ダウンリンクに関する干渉推定は、干渉に包括的に対処するためには十分でないことがある。
【０００９】
一例では、ＬＴＥアップリンク信号はＢｌｕｅｔｏｏｔｈ信号またはＷＬＡＮ信号に干渉する。しかしながら、そのような干渉は、ｅＮＢにおけるダウンリンク測定報告中に反映されない。その結果、ＵＥの側の一方的なアクション（たとえば、アップリンク信号を異なるチャネルに移動すること）は、アップリンク共存問題に気づいていないｅＮＢによって妨げられ得、ｅＮＢはその一方的なアクションを取り消そうと努める。たとえば、ＵＥが接続を異なる周波数チャネル上で再確立した場合でも、ネットワークは、ＵＥを、デバイス内干渉によって損なわれた元の周波数チャネルに依然としてハンドオーバし得る。損なわれたチャネル上の所望の信号強度は、時々、ｅＮＢに対する基準信号受信電力（ＲＳＲＰ：Reference Signal Received Power）に基づく新しいチャネルの測定報告中で反映される信号強度よりも高くなり得るので、これは可能性があるシナリオである。したがって、ｅＮＢが、ハンドオーバ決定を行うためにＲＳＲＰ報告を使用する場合、損なわれたチャネルと所望のチャネルとの間で往復して転送されるピンポン効果（ping-pong effect）が起こり得る。
【００１０】
ｅＮＢの調整なしに単にアップリンク通信を停止することなど、ＵＥの側の他の一方的なアクションは、ｅＮＢにおける電力ループ機能不全を引き起こし得る。従来のＬＴＥにおいて存在するさらなる問題には、共存問題を有する構成の代替として所望の構成を提案するＵＥの側の能力の一般的な欠如がある。少なくともこれらの理由のために、ＵＥにおけるアップリンク共存問題は長い間未解決のまま残り、ＵＥの他の無線機のパフォーマンスおよび効率を劣化させ得る。
【発明の概要】
【００１１】
本開示の一態様によれば、ワイヤレス通信のための方法は、測定された信号サンプル（measured signal sample）中のモードの数を検出することを含む。本方法はまた、検出することに少なくとも部分的に基づいて、信号がマルチモーダル分布（multi-modal distribution）を含んでいるときを判断することを含む。本方法はまた、判断することに少なくとも部分的に基づいて共存インジケーションを作成することを含む。
【００１２】
本開示の別の態様によれば、ワイヤレス通信のための装置は、測定された信号サンプル中のモードの数を検出するための手段を含む。本装置はまた、検出することに少なくとも部分的に基づいて、信号がマルチモーダル分布を含んでいるときを判断するための手段を含む。本装置はまた、判断することに少なくとも部分的に基づいて共存インジケーションを作成するための手段を含む。
【００１３】
本開示の一態様によれば、ワイヤレスネットワークにおけるワイヤレス通信のためのコンピュータプログラム製品は、非一時的プログラムコードを記録したコンピュータ可読媒体を含む。プログラムコードは、測定された信号サンプル中のモードの数を検出するためのプログラムコードを含む。プログラムコードはまた、検出することに少なくとも部分的に基づいて、信号がマルチモーダル分布を含んでいるときを判断するためのプログラムコードを含む。プログラムコードはまた、判断することに少なくとも部分的に基づいて共存インジケーションを作成するためのプログラムコードを含む。
【００１４】
本開示の一態様によれば、ワイヤレス通信のための装置は、メモリと、メモリに結合された（１つまたは複数の）プロセッサとを含む。（１つまたは複数の）プロセッサは、測定された信号サンプル中のモードの数を検出するように構成される。（１つまたは複数の）プロセッサは、検出することに少なくとも部分的に基づいて、信号がマルチモーダル分布を含んでいるときを判断するようにさらに構成される。（１つまたは複数の）プロセッサは、判断することに少なくとも部分的に基づいて共存インジケーションを作成するようにさらに構成される。
【００１５】
ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【図面の簡単な説明】
【００１６】
本開示の特徴、特性、および利点は、全体を通じて同様の参照符号が同様のものを指す図面とともに、以下に記載する発明を実施するための形態を読めばより明らかになろう。
【図１】一態様による多元接続ワイヤレス通信システムを示す図。
【図２】一態様による通信システムのブロック図。
【図３】ダウンリンクロングタームエボリューション（ＬＴＥ）通信における例示的なフレーム構造を示す図。
【図４】アップリンクロングタームエボリューション（ＬＴＥ）通信における例示的なフレーム構造を概念的に示すブロック図。
【図５】例示的なワイヤレス通信環境を示す図。
【図６】複数無線ワイヤレスデバイスのための例示的な設計のブロック図。
【図７】所与の決定期間における７つの例示的な無線機間のそれぞれの潜在的な衝突を示す図式。
【図８】時間的な例示的な共存マネージャ（ＣｘＭ：Coexistence Manager）の動作を示す図。
【図９】隣接する周波数帯域を示すブロック図。
【図１０】本開示の一態様による、複数無線機共存管理のためのワイヤレス通信環境内でサポートを行うためのシステムのブロック図。
【図１１】本開示の一態様によるマルチモード検出を示す図。
【図１２】本開示の一態様による複数無線機共存管理を示すブロック図。
【図１３】本開示の一態様による、複数無線機共存管理のためのプロセッサシステムを示すブロック図。
【発明を実施するための形態】
【００１７】
本開示の様々な態様は、たとえば、ＬＴＥバンドと（たとえば、ＢＴ／ＷＬＡＮ用の）産業科学医療用（ＩＳＭ）バンドとの間に重大なデバイス内共存問題が存在し得る、複数無線デバイス中の共存問題を緩和するための技法を提供する。いくつかの状況では、バースト的干渉（bursty interference）は、１つまたは複数の無線アクセス技術（ＲＡＴ）がある場合の共存問題を生じることがある。そのようなバースト的干渉が検出されたとき、共存インジケーションは、共存問題を管理するための共存マネージャまたは基地局に送られ得る。バースト的干渉を検出するために、ＵＥは、マルチモーダル分布を識別するために測定信号を分析し得、マルチモーダル分布は、共存インジケーションをトリガし得る。
【００１８】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装することができる。ＵＴＲＡは、広帯域ＣＤＭＡ（Ｗ−ＣＤＭＡ（登録商標）：Wideband-CDMA）および低チップレート（ＬＣＲ）を含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ）などの無線技術を実装することができる。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ：3rd Generation Partnership Project）と称する団体からの文書に記載されている。ｃｄｍａ２０００は、「第３世代パートナーシッププロジェクト２」（３ＧＰＰ２：3rd Generation Partnership Project 2）と称する団体からの文書に記載されている。これらの様々な無線技術および規格は当技術分野で知られている。明快のために、本技法のいくつかの態様について以下ではＬＴＥに関して説明し、以下の説明の部分でＬＴＥ用語を使用する。
【００１９】
シングルキャリア変調および周波数領域等化を利用するシングルキャリア周波数分割多元接続（ＳＣ−ＦＤＭＡ）は、本明細書で説明する様々な態様とともに利用され得る技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰロングタームエボリューション（ＬＴＥ）、または発展型ＵＴＲＡにおけるアップリンク多元接続方式に関する実用的な前提である。
【００２０】
図１を参照すると、一態様による多元接続ワイヤレス通信システムが示されている。発展型ノードＢ１００（ｅＮＢ）は、リソースおよびパラメータを割り振ること、ユーザ機器からの要求を許可／拒否することなどによってＬＴＥ通信を管理するための処理リソースとメモリリソースとを有するコンピュータ１１５を含む。ｅＮＢ１００はまた複数のアンテナグループを有し、あるグループはアンテナ１０４とアンテナ１０６とを含み、別のグループはアンテナ１０８とアンテナ１１０とを含み、追加のグループはアンテナ１１２とアンテナ１１４とを含む。図１では、アンテナグループごとに２つのアンテナのみが示されているが、アンテナグループごとにより多いまたはより少ないアンテナが利用され得る。ユーザ機器（ＵＥ）１１６（アクセス端末（ＡＴ）とも呼ばれる）がアンテナ１１２および１１４と通信している間、アンテナ１１２および１１４は、アップリンク（ＵＬ）１８８を介してＵＥ１１６に情報を送信する。ＵＥ１２２がアンテナ１０６および１０８と通信している間、アンテナ１０６および１０８は、ダウンリンク（ＤＬ）１２６を介してＵＥ１２２に情報を送信し、アップリンク１２４を介してＵＥ１２２から情報を受信する。周波数分割複信（ＦＤＤ）システムでは、通信リンク１１８、１２０、１２４および１２６は、通信のための異なる周波数を使用することができる。たとえば、ダウンリンク１２０は、アップリンク１１８によって使用される周波数とは異なる周波数を使用することができる。
【００２１】
アンテナの各グループ、および／またはアンテナが通信するように設計されたエリアは、しばしば、ｅＮＢのセクタと呼ばれる。この態様では、それぞれのアンテナグループは、ｅＮＢ１００によってカバーされるエリアのセクタ中のＵＥに通信するように設計される。
【００２２】
ダウンリンク１２０および１２６を介した通信では、ｅＮＢ１００の送信アンテナは、異なるＵＥ１１６および１２２に対してアップリンクの信号対雑音比を改善するためにビームフォーミングを利用する。また、ｅＮＢが、ビームフォーミングを使用して、それのカバレージ中にランダムに分散されたＵＥに送信するほうが、ＵＥが単一のアンテナを介してすべてのそれのＵＥに送信するよりも、隣接セル中のＵＥへの干渉が小さくなる。
【００２３】
ｅＮＢは、端末と通信するために使用される固定局であり得、アクセスポイント、基地局、または何らかの他の用語で呼ばれることもある。ＵＥは、アクセス端末、ワイヤレス通信デバイス、端末、または何らかの他の用語で呼ばれることもある。
【００２４】
図２は、ＭＩＭＯシステム２００における送信機システム２１０（ｅＮＢとしても知られる）および受信機システム２５０（ＵＥとしても知られる）の一態様のブロック図である。いくつかの事例では、ＵＥとｅＮＢの両方が、送信機システムと受信機システムとを含むトランシーバをそれぞれ有する。送信機システム２１０において、いくつかのデータストリームのトラフィックデータがデータソース２１２から送信（ＴＸ）データプロセッサ２１４に供給される。
【００２５】
ＭＩＭＯシステムは、データ送信のために複数（ＮＴ個）の送信アンテナと複数（ＮＲ個）の受信アンテナとを採用する。ＮＴ個の送信アンテナとＮＲ個の受信アンテナとによって形成されるＭＩＭＯチャネルは、空間チャネルと呼ばれることもあるＮＳ個の独立チャネルに分解され得、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００２６】
ＭＩＭＯシステムは時分割複信（ＴＤＤ）および周波数分割複信（ＦＤＤ）システムをサポートする。ＴＤＤシステムでは、アップリンクおよびダウンリンク送信が同じ周波数領域上で行われるので、相反定理によるアップリンクチャネルからのダウンリンクチャネルの推定が可能である。これにより、ｅＮＢにおいて複数のアンテナが利用可能であるとき、ｅＮＢはダウンリンク上で送信ビームフォーミング利得を抽出することが可能になる。
【００２７】
一態様では、各データストリームは、それぞれの送信アンテナを介して送信される。ＴＸデータプロセッサ２１４は、データストリーム用に選択された特定のコーディング方式に基づいて、そのデータストリームごとにトラフィックデータをフォーマットし、コーディングし、インターリーブして、コード化データを与える。
【００２８】
各データストリームのコード化データは、ＯＦＤＭ技法を使用してパイロットデータで多重化され得る。パイロットデータは、知られている方法で処理され、チャネル応答を推定するために受信機システムにおいて使用され得る既知のデータパターンである。次いで、各データストリームの多重化されたパイロットデータおよびコード化データは、そのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）されて、変調シンボルを与える。各データストリームのデータレート、コーディング、および変調は、メモリ２３２とともに動作するプロセッサ２３０によって実行される命令によって判断され得る。
【００２９】
次いで、それぞれのデータストリームの変調シンボルはＴＸ  ＭＩＭＯプロセッサ２２０に供給され、ＴＸ  ＭＩＭＯプロセッサ２２０はさらに（たとえば、ＯＦＤＭ用に）その変調シンボルを処理することができる。次いで、ＴＸ  ＭＩＭＯプロセッサ２２０はＮＴ個の変調シンボルストリームをＮＴ個の送信機（ＴＭＴＲ）２２２ａ〜２２２ｔに与える。いくつかの態様では、ＴＸ  ＭＩＭＯプロセッサ２２０は、データストリームのシンボルと、シンボルの送信元のアンテナとにビームフォーミング重みを適用する。
【００３０】
各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を与える。次いで、送信機２２２ａ〜２２２ｔからのＮＴ個の被変調信号は、それぞれＮＴ個のアンテナ２２４ａ〜２２４ｔから送信される。
【００３１】
受信機システム２５０では、送信された変調信号はＮＲ個のアンテナ２５２ａ〜２５２ｒによって受信され、各アンテナ２５２からの受信信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００３２】
次いで、ＲＸデータプロセッサ２６０は、ＮＲ個の受信機２５４からＮＲ個の受信シンボルストリームを受信し、特定の受信機処理技法に基づいて処理して、ＮＴ個の「検出」シンボルストリームを与える。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理と相補的なものである。
【００３３】
（メモリ２７２とともに動作する）プロセッサ２７０は、どのプリコーディング行列を使用すべきかを周期的に判断する（後述）。プロセッサ２７０は、行列インデックス部分とランク値部分とを有するアップリンクメッセージを作成する。
【００３４】
アップリンクメッセージは、通信リンクおよび／または受信データストリームに関する様々なタイプの情報を含むことができる。次いで、アップリンクリンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３５】
送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信されたアップリンクメッセージを抽出する。次いで、プロセッサ２３０は、ビームフォーミング重みを判断するためにどのプリコーディング行列を使用すべきかを判断し、次いで、抽出されたメッセージを処理する。
【００３６】
図３は、ダウンリンクロングタームエボリューション（ＬＴＥ）通信における例示的なフレーム構造を概念的に示すブロック図である。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００３７】
ＬＴＥでは、ｅＮＢは、ｅＮＢ中の各セルについてプライマリ同期信号（ＰＳＳ：Primary Synchronization Signal）とセカンダリ同期信号（ＳＳＳ：Secondary Synchronization Signal）とを送り得る。ＰＳＳおよびＳＳＳは、図３に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３８】
ｅＮＢは、ｅＮＢ中の各セルについてセル固有基準信号（ＣＲＳ：Cell-specific Reference Signal）を送り得る。ＣＲＳは、ノーマルサイクリックプレフィックスの場合は各スロットのシンボル０、１、および４中で送られ得、拡張サイクリックプレフィックスの場合は各スロットのシンボル０、１、および３中で送られ得る。ＣＲＳは、物理チャネルのコヒーレント復調、タイミングおよび周波数トラッキング、無線リンクモニタリング（ＲＬＭ：Radio Link Monitoring）、基準信号受信電力（ＲＳＲＰ）、および基準信号受信品質（ＲＳＲＱ：Reference Signal Received Quality）測定などのためにＵＥによって使用され得る。
【００３９】
ｅＮＢは、図３に示すように、各サブフレームの最初のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図３に示す例では、Ｍ＝３である。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図３に示す例でも、ＰＤＣＣＨおよびＰＨＩＣＨは最初の３つのシンボル期間中に含まれている。ＰＨＩＣＨは、ハイブリッド自動再送要求（ＨＡＲＱ：Hybrid Automatic Repeat Request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００４０】
ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００４１】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）中に配置され得る。各ＲＥＧは、１つのシンボル期間中の４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００４２】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００４３】
図４は、アップリンクロングタームエボリューション（ＬＴＥ）通信における例示的なフレーム構造を概念的に示すブロック図である。アップリンクのために利用可能なリソースブロック（ＲＢ：Resource Block）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図４の設計は、データセクション中の連続するサブキャリアのすべてを単一のＵＥに割り当てることを可能にし得る連続サブキャリアを含むデータセクションを生じる。
【００４４】
ＵＥには、ｅＮＢに制御情報を送信するために制御セクション中のリソースブロックが割り当てられ得る。ＵＥには、ｅノードＢにデータを送信するためにデータセクション中のリソースブロックも割り当てられ得る。ＵＥは、制御セクション中の割り当てられたリソースブロック上の物理アップリンク制御チャネル（ＰＵＣＣＨ：Physical Uplink Control Channel）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図４に示すように周波数上でホッピングし得る。
【００４５】
ＬＴＥにおけるＰＳＳ、ＳＳＳ、ＣＲＳ、ＰＢＣＨ、ＰＵＣＣＨおよびＰＵＳＣＨは、公開されている「Evolved Universal Terrestrial Radio Access (E-UTRA); Physical Channels and Modulation」と題する３ＧＰＰ  ＴＳ  ３６．２１１に記載されている。
【００４６】
一態様では、本明細書では、複数無線機共存ソリューションを可能にするために、３ＧＰＰ  ＬＴＥ環境などのワイヤレス通信環境内でサポートを行うためのシステムおよび方法が説明される。
【００４７】
次に図５を参照すると、本明細書で説明する様々な態様が機能することができる例示的なワイヤレス通信環境５００が示されている。ワイヤレス通信環境５００は、複数の通信システムと通信することが可能であり得るワイヤレスデバイス５１０を含むことができる。これらのシステムは、たとえば、１つまたは複数のセルラーシステム５２０および／または５３０、１つまたは複数のＷＬＡＮシステム５４０および／または５５０、１つまたは複数のワイヤレスパーソナルエリアネットワーク（ＷＰＡＮ）システム５６０、１つまたは複数のブロードキャストシステム５７０、１つまたは複数の衛星測位システム５８０、図５に示されていない他のシステム、あるいはそれらの任意の組合せを含むことができる。以下の説明では、「ネットワーク」および「システム」という用語がしばしば互換的に使用されることを諒解されたい。
【００４８】
セルラーシステム５２０および５３０はそれぞれ、ＣＤＭＡ、ＴＤＭＡ、ＦＤＭＡ、ＯＦＤＭＡ、シングルキャリアＦＤＭＡ（ＳＣ−ＦＤＭＡ）、または他の好適なシステムであり得る。ＣＤＭＡシステムは、ユニバーサル地上波無線アクセス（ＵＴＲＡ）、ｃｄｍａ２０００などの無線技術を実装することができる。ＵＴＲＡは、広帯域ＣＤＭＡ（ＷＣＤＭＡ（登録商標））およびＣＤＭＡの他の変形態を含む。その上、ｃｄｍａ２０００は、ＩＳ−２０００（ＣＤＭＡ２０００  １Ｘ）、ＩＳ−９５およびＩＳ−８５６（ＨＲＰＤ）規格をカバーする。ＴＤＭＡシステムは、モバイル通信用グローバルシステム（ＧＳＭ）、デジタルアドバンストモバイルフォンシステム（Ｄ−ＡＭＰＳ：Digital Advanced Mobile Phone System）などの無線技術を実装することができる。ＯＦＤＭＡシステムは、発展型ＵＴＲＡ（Ｅ−ＵＴＲＡ）、ウルトラモバイルブロードバンド（ＵＭＢ：Ultra Mobile Broadband）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。一態様では、セルラーシステム５２０は、カバレージ内のワイヤレスデバイスのための双方向通信をサポートすることができるいくつかの基地局５２２を含むことができる。同様に、セルラーシステム５３０は、カバレージ内のワイヤレスデバイスのための双方向通信をサポートすることができるいくつかの基地局５３２を含むことができる。
【００４９】
ＷＬＡＮシステム５４０および５５０はそれぞれ、ＩＥＥＥ８０２．１１（ＷｉＦｉ）、Ｈｉｐｅｒｌａｎなどの無線技術を実装することができる。ＷＬＡＮシステム５４０は、双方向通信をサポートすることができる１つまたは複数のアクセスポイント５４２を含むことができる。同様に、ＷＬＡＮシステム５５０は、双方向通信をサポートすることができる１つまたは複数のアクセスポイント５５２を含むことができる。ＷＰＡＮシステム５６０は、Ｂｌｕｅｔｏｏｔｈ（ＢＴ）、ＩＥＥＥ８０２．１５などの無線技術を実装することができる。さらに、ＷＰＡＮシステム５６０は、ワイヤレスデバイス５１０、ヘッドセット５６２、コンピュータ５６４、マウス５６６など、様々なデバイスのための双方向通信をサポートすることができる。
【００５０】
ブロードキャストシステム５７０は、テレビジョン（ＴＶ）ブロードキャストシステム、周波数変調（ＦＭ）ブロードキャストシステム、デジタルブロードキャストシステムなどであり得る。デジタルブロードキャストシステムは、ＭｅｄｉａＦＬＯ（商標）、ハンドヘルド用デジタルビデオ放送（ＤＶＢ−Ｈ：Digital Video Broadcasting for Handhelds）、地上波テレビジョン放送用統合サービスデジタル放送（ＩＳＤＢ−Ｔ：Integrated Services Digital Broadcasting for Terrestrial Television Broadcasting）などの無線技術を実装することができる。さらに、ブロードキャストシステム５７０は、一方向通信をサポートすることができる１つまたは複数のブロードキャスト局５７２を含むことができる。
【００５１】
衛星測位システム５８０は、米国の全地球測位システム（ＧＰＳ）、欧州のＧａｌｉｌｅｏシステム、ロシアのＧＬＯＮＡＳＳシステム、日本の準天頂衛星システム（ＱＺＳＳ：Quasi-Zenith Satellite System）、インドのインド地域航法衛星システム（ＩＲＮＳＳ：Indian Regional Navigational Satellite System）、中国のＢｅｉｄｏｕシステム、および／または任意の他の好適なシステムであり得る。さらに、衛星測位システム５８０は、位置判断用の信号を送信するいくつかの衛星５８２を含むことができる。
【００５２】
一態様では、ワイヤレスデバイス５１０は、固定でも移動でもあり得、ユーザ機器（ＵＥ）、移動局、モバイル機器、端末、アクセス端末、加入者ユニット、局などと呼ばれることもある。ワイヤレスデバイス５１０は、セルラーフォン、携帯情報端末（ＰＤＡ）、ワイヤレスモデム、ハンドヘルドデバイス、ラップトップコンピュータ、コードレスフォン、ワイヤレスローカルループ（ＷＬＬ：wireless local loop）局などであり得る。さらに、ワイヤレスデバイス５１０は、セルラーシステム５２０および／または５３０、ＷＬＡＮシステム５４０および／または５５０、ＷＰＡＮシステム５６０をもつデバイス、および／または任意の他の好適な（１つまたは複数の）システムおよび／または（１つまたは複数の）デバイスとの双方向通信に関与することができる。ワイヤレスデバイス５１０は、追加または代替として、ブロードキャストシステム５７０および／または衛星測位システム５８０から信号を受信することができる。概して、ワイヤレスデバイス５１０は、所与の瞬間において任意の数のシステムと通信することができることが諒解できよう。また、ワイヤレスデバイス５１０は、同時に動作するそれの構成無線デバイスの様々な構成無線デバイスの間の共存問題に遭遇し得る。したがって、デバイス５１０は、以下でさらに説明するように、共存問題を検出し、緩和するための機能モジュールを有する共存マネージャ（ＣｘＭ、図示せず）を含む。
【００５３】
次に図６を参照すると、図５のデバイス５１０の実装形態として使用され得る、複数無線ワイヤレスデバイス６００の例示的な設計を示すブロック図が与えられている。図６が示すように、ワイヤレスデバイス６００は、それぞれＮ個のアンテナ６１０ａ〜６１０ｎに結合され得るＮ個の無線機６２０ａ〜６２０ｎを含むことができ、ここで、Ｎは任意の整数値であり得る。ただし、それぞれの無線機６２０は任意の数のアンテナ６１０に結合され得、複数の無線機６２０は所与のアンテナ６１０を共有することもできることを諒解されたい。
【００５４】
概して、無線機６２０は、電磁スペクトルのエネルギーを放射または放出するか、電磁スペクトルのエネルギーを受け取るか、あるいは伝導性手段を介して伝搬するエネルギーを発生するユニットであり得る。例として、無線機６２０は、システムまたはデバイスに信号を送信するユニット、あるいはシステムまたはデバイスから信号を受信するユニットであり得る。したがって、無線機６２０は、ワイヤレス通信をサポートするために利用され得ることが諒解できよう。別の例では、無線機６２０はまた、他の無線機のパフォーマンスに影響を及ぼし得る雑音を放出するユニット（たとえば、コンピュータ上のスクリーン、回路板など）であり得る。したがって、さらに、無線機６２０は、ワイヤレス通信をサポートすることなしに雑音および干渉を放出するユニットでもあり得ることが諒解できよう。
【００５５】
一態様では、それぞれの無線機６２０は、１つまたは複数のシステムとの通信をサポートすることができる。複数の無線６２０は、追加または代替として、所与のシステムが、たとえば、異なる周波数帯域（セルラー帯域およびＰＣＳ帯域）上で送信または受信するために使用され得る。
【００５６】
別の態様では、デジタルプロセッサ６３０が、無線機６２０ａ〜６２０ｎに結合され得、無線機６２０を介して送信または受信されるデータの処理など、様々な機能を実行することができる。各無線機６２０の処理は、その無線機によってサポートされる無線技術に依存し得、送信機の場合は暗号化、符号化、変調などを含み、受信機の場合は復調、復号、解読などを含むことなどができる。一例では、デジタルプロセッサ６３０は、本明細書で概して説明するように、ワイヤレスデバイス６００の性能を改善するために無線機６２０の動作を制御することができる共存マネージャ（ＣｘＭ）６４０を含むことができる。ＣｘＭ６４０は、無線機６２０の動作を制御するために使用される情報を記憶することができるデータベース６４４にアクセスすることができる。以下でさらに説明するように、ＣｘＭ６４０は、無線機間の干渉を減少させるための様々な技法に対して適応され得る。一例では、ＣｘＭ６４０は、ＩＳＭ無線機がＬＴＥ非アクティビティ期間中に通信することを可能にする測定ギャップパターンまたはＤＲＸサイクルを要求する。
【００５７】
簡単のために、デジタルプロセッサ６３０は、図６ではシングルプロセッサとして示されている。しかしながら、デジタルプロセッサ６３０は、任意の数のプロセッサ、コントローラ、メモリなどを含むことができることを諒解されたい。一例では、コントローラ／プロセッサ６５０は、ワイヤレスデバイス６００内の様々なユニットの演算を指示することができる。追加または代替として、メモリ６５２が、ワイヤレスデバイス６００のためのプログラムコードおよびデータを記憶することができる。デジタルプロセッサ６３０、コントローラ／プロセッサ６５０、およびメモリ６５２は、１つまたは複数の集積回路（ＩＣ）、特定用途向け集積回路（ＡＳＩＣ）などの上で実装され得る。特定の非限定的な例として、デジタルプロセッサ６３０は、移動局モデム（ＭＳＭ：Mobile Station Modem）ＡＳＩＣ上で実装され得る。
【００５８】
一態様では、ＣｘＭ６４０は、それぞれの無線機６２０間の衝突に関連する干渉および／または他の性能劣化を回避するために、ワイヤレスデバイス６００によって利用されるそれぞれの無線機６２０の動作を管理することができる。ＣｘＭ６４０は、図１１および図１３に示すプロセスなど、１つまたは複数のプロセスを実行し得る。さらなる例として、図７の図式７００に、所与の決定期間における７つの例示的な無線機間のそれぞれの潜在的な衝突を表す。図式７００に示す例では、７つの無線機は、ＷＬＡＮ送信機（Ｔｗ）と、ＬＴＥ送信機（Ｔｌ）と、ＦＭ送信機（Ｔｆ）と、ＧＳＭ／ＷＣＤＭＡ送信機（Ｔｃ／Ｔｗ）と、ＬＴＥ受信機（Ｒｌ）と、Ｂｌｕｅｔｏｏｔｈ受信機（Ｒｂ）と、ＧＰＳ受信機（Ｒｇ）とを含む。４つの送信機は、図式７００の左側にある４つのノードによって表されている。４つの受信機は、図式７００の右側にある３つのノードによって表されている。
【００５９】
送信機と受信機との間の潜在的な衝突は、送信機のノードと受信機のノードとを接続しているブランチによって図式７００上に表されている。したがって、図式７００に示す例では、衝突は、（１）ＷＬＡＮ送信機（Ｔｗ）とＢｌｕｅｔｏｏｔｈ受信機（Ｒｂ）との間、（２）ＬＴＥ送信機（Ｔｌ）とＢｌｕｅｔｏｏｔｈ受信機（Ｒｂ）との間、（３）ＷＬＡＮ送信機（Ｔｗ）とＬＴＥ受信機（Ｒｌ）との間、（４）ＦＭ送信機（Ｔｆ）とＧＰＳ受信機（Ｒｇ）との間、（５）ＷＬＡＮ送信機（Ｔｗ）とＧＳＭ／ＷＣＤＭＡ送信機（Ｔｃ／Ｔｗ）とＧＰＳ受信機（Ｒｇ）との間に存在し得る。
【００６０】
一態様では、例示的なＣｘＭ６４０は、図８の線図８００によって示す方法などの方法で時間的に動作することができる。線図８００が示すように、ＣｘＭ動作のタイムラインは、任意の好適な一様または非一様な長さ（たとえば、１００μｓ）であり得る決定ユニット（ＤＵ：Decision Unit）に分割されることができる、ここで、通知は、処理され、コマンドが様々な無線機６２０に提供される応答フェーズ（たとえば、２０μｓ）および他の動作は、評価フェーズ中に取られたアクションに基づいて実行される。一例では、線図８００に示すタイムラインは、タイムラインのワーストケース動作によって定義されたレイテンシパラメータを有することができ、たとえば、所与のＤＵ中の通知フェースの終了の直後に所与の無線機から通知が取得された場合における応答のタイミングを有することができる。
【００６１】
図９に示すように、（周波数分割複信（ＦＤＤ）アップリンクのための）バンド７、（時分割複信（ＴＤＤ）通信のための）バンド４０、および（ＴＤＤダウンリンクのための）バンド３８にあるロングタームエボリューション（ＬＴＥ）は、Ｂｌｕｅｔｏｏｔｈ（ＢＴ）技術およびワイヤレスローカルエリアネットワーク（ＷＬＡＮ）技術によって使用される２．４ＧＨｚ産業科学医療用（ＩＳＭ）帯域と隣接している。これらの帯域についての周波数プランニングは、従来のフィルタリングソリューションが隣接する周波数における干渉を回避することを可能にするガードバンドが制限されているか、またはそれが存在しないようなものである。たとえば、ＩＳＭとバンド７との間に２０ＭＨｚのガードバンドが存在するが、ＩＳＭとバンド４０との間にガードバンドは存在しない。
【００６２】
適切な規格に準拠するために、特定の帯域上で動作する通信デバイスは、指定された周波数範囲全体にわたって動作可能であるべきである。たとえば、ＬＴＥ準拠であるために、移動局／ユーザ機器は、第３世代パートナーシッププロジェクト（３ＧＰＰ）によって定義されているように、バンド４０（２３００〜２４００ＭＨｚ）とバンド７（２５００〜２５７０ＭＨｚ）の両方全体上で通信することが可能であるべきである。十分なガードバンドなしに、デバイスは、帯域干渉を生じる他の帯域に重複するフィルタを採用する。バンド４０フィルタは、帯域全体をカバーするために幅１００ＭＨｚであるので、それらのフィルタからのロールオーバは、干渉を生じるＩＳＭ帯域にクロスオーバする。同様に、ＩＳＭ帯域全体（たとえば、２４０１〜約２４８０ＭＨｚ）を使用するＩＳＭデバイスは、隣接するバンド４０およびバンド７にロールオーバするフィルタを採用することになり、干渉を生じ得る。
【００６３】
ＵＥに関して、たとえば、（たとえば、Ｂｌｕｅｔｏｏｔｈ／ＷＬＡＮ用の）ＬＴＥおよびＩＳＭ帯域などのリソース間にデバイス内共存問題が存在し得る。現在のＬＴＥ実装形態では、ＬＴＥに対する干渉問題は、ＵＥによって報告されるＤＬ測定値（たとえば、基準信号受信品質（ＲＳＲＱ）メトリックなど）および／またはＤＬ誤り率に反映され、ｅＮＢは、それらのダウンリンク測定値および／またはダウンリンク誤り率を使用して、たとえば、共存問題のないチャネルまたはＲＡＴにＬＴＥを移動させる周波数間またはＲＡＴ間ハンドオフ決定を行うことができる。しかしながら、たとえば、ＬＴＥアップリンクがＢｌｕｅｔｏｏｔｈ／ＷＬＡＮへの干渉を引き起こしているが、ＬＴＥダウンリンクがＢｌｕｅｔｏｏｔｈ／ＷＬＡＮからの干渉を経験しない場合、これらの既存の技法は機能しないことが諒解できよう。より詳細には、ＵＥがそれ自体をアップリンク上の別のチャネルに自律的に移動させる場合でも、ｅＮＢは、場合によっては、負荷分散の目的でＵＥを問題があるチャネルにハンドオーバし戻す可能性がある。いずれの場合も、既存の技法では、問題があるチャネルの帯域幅を最も効率的な方法で使用することが可能にならないことが諒解できよう。
【００６４】
次に図１０を参照すると、複数無線機共存管理のためのワイヤレス通信環境内でサポートを行うためのシステム１０００のブロック図が示されている。一態様では、システム１０００は、アップリンク通信および／またはダウンリンク通信、ならびに／あるいは互いのおよび／またはシステム１０００中の他のエンティティとの任意の他の好適な通信に関与することができる、１つまたは複数のＵＥ１０１０および／またはｅＮＢ１０４０を含むことができる。一例では、ＵＥ１０１０および／またはｅＮＢ１０４０は、周波数チャネルおよびサブバンドを含む様々なリソースを使用して通信するように動作可能であり得、それらのリソースの一部は他の無線リソース（たとえば、ＬＴＥモデムなどのブロードバンド無線機）と潜在的に衝突し得る。したがって、ＵＥ１０１０は、本明細書で概して説明するように、ＵＥ１０１０によって利用される複数の無線機の間の共存を管理するための様々な技法を利用することができる。
【００６５】
少なくとも上記の短所を緩和するために、ＵＥ１０１０は、ＵＥ１０１０内の複数無線機共存のためのサポートを可能にするための、システム１０００によって説明および図示する、それぞれの特徴を利用することができる。たとえば、チャネルモニタリングモジュール１０１２、バースト的干渉検出モジュール１０１４、および共存インジケータモジュール１０１６が与えられ得る。様々なモジュール１０１２〜１０１６は、いくつかの例では、図６のＣｘＭ６４０などの共存マネージャの一部として実装され得る。様々なモジュール１０１２〜１０１６などは、本明細書で説明する実施形態を実装するように構成され得る。
【００６６】
ＬＴＥなど、無線アクセス技術（ＲＡＴ）に対するバースト的干渉ソースの存在を検出することと、検出に基づいてバースト的干渉を管理するために共存マネージャへのインジケーションをトリガすることとを行うための方法が提供される。
【００６７】
ＩＳＭ帯域中のＷｉＦｉおよびＢｌｕｅｔｏｏｔｈなど、ＩＳＭ無線からの送信は、バンド４０中のＬＴＥへのバースト的干渉を生じることがある。特に、バーストサイズは、数十マイクロ秒（μｓ）から数ミリ秒（ｍｓ）までの広い範囲を有することがある。短いバーストの場合、干渉は、ＬＴＥサブフレームと部分的に重複することがある。
【００６８】
ＬＴＥでは、ダウンリンク測定値は、サービングセルからの受信信号強度を測定する基準信号受信電力（ＲＳＲＰ）、近隣非サービングセルからの干渉を含み得る受信信号強度インジケータ（ＲＳＳＩ）、およびＲＳＲＰと総ＲＳＳＩとの比（すなわち、信号対干渉の比の測定値）である基準信号受信品質（ＲＳＲＱ）などの測定値に基づき得る。ＲＳＲＰ、ＲＳＳＩ、およびＲＳＲＱは、一般に、共通基準信号（ＣＲＳ：common reference signal）に基づいて計算される。非バースト的干渉の存在下で、これらの測定値はうまく動作する。しかしながら、バースト的干渉により、これらの測定値は、ＵＥへの干渉を不正確に報告することになり得る。
【００６９】
たとえば、ＣＲＳは、ＬＴＥサブフレームの直交周波数分割多重（ＯＦＤＭ）シンボル０、４、７、および１１上で送信され得る。各ＯＦＤＭシンボルは、約７１μｓの長さである。ＩＳＭ  ＲＡＴによって引き起こされるバースト的干渉が、ＣＲＳと重複しないか、またはＣＲＳを搬送するシンボルの一部のみと部分的に重複する場合、ＬＴＥ信号への測定された干渉は、ＣＲＳ以外のＯＦＤＭシンボル上で経験される実際の干渉よりも小さくなる。これにより、実際の干渉の過小評価を生じることになり、その結果、（共存マネージャが、干渉の衝撃を低減するためのアクションを取り得るような）共存マネージャへの共存インジケーションが場合によっては必要とされ得る場合でも、ＵＥがそのようなインジケーションをトリガしないことがある。
【００７０】
共存マネージャが修正アクションを取ることを可能にするように、そのようなバースト的干渉を考慮するための方法が提供される。ＣＲＳを搬送するそれらのシンボルだけでなく、サブフレーム中のすべてのシンボルにわたって測定が実行され得る。特に、ＵＥは、ＩＳＭ  ＲＡＴからの総干渉をキャプチャするために、すべてのＯＦＤＭシンボル上でＲＳＳＩを測定することができる。
【００７１】
しかしながら、ＲＳＳＩ測定値をＣＲＳシンボルのみからすべてのＯＦＤＭシンボルに変更することにより、これらのセルが部分的にロードされたときに非サービングネイバーセルからの干渉を過小評価することになり得る。この過小評価は、ＩＳＭ  ＲＡＴからの干渉がないときに行われることになるが、ネイバーセルは、ＣＲＳシンボル上でパイロット信号を送信しているにすぎない。この場合、ＣＲＳシンボルは、他のシンボルよりも多くの干渉を経験することになるが、修正ＲＳＳＩ測定の下でのその干渉からのエネルギーは、すべてのシンボルにわたって平均化されることになる。この問題を解決するために、ＵＥは、ＩＳＭ干渉が存在していることが知られているサブフレーム上でのみＲＳＳＩを測定する際にすべてのＯＦＤＭシンボルを使用し得る。どんなシンボルをＲＳＳＩ測定に組み込むべきかについてのそのような調整を実行するために、ＵＥは、バースト的ＩＳＭ干渉のタイミングの知識を有するべきである。
【００７２】
別の態様では、ＵＥは、シンボルにわたるＲＳＳＩの有意な変動を用いてそれ自体を提示し得るバースト的ＩＳＭ干渉の存在を識別するために、シンボルにわたるＲＳＳＩ変動を追跡し得る。ＩＳＭ干渉によって引き起こされるＲＳＳＩ変動のサイズは、共存マネージャへのインジケーションをトリガするためにＵＥによって測定され得る。また、ＩＳＭ干渉を計算することは、共存マネージャからのタイミング情報によって補助され得る。たとえば、ＩＳＭトラフィックバーストのタイミングは、（ＷＬＡＮ無線などの）ＩＳＭ無線から中心共存マネージャに送られ得る。また、このタイミング情報は、潜在的に補正共存測度を取るためのインジケーションのためのトリガとして働き得る。
【００７３】
共存インジケーションをトリガするために、ＵＥは、ＩＳＭ干渉ありおよびなしのＬＴＥ性能を評価し得る。たとえば、ＵＥは、ＩＳＭ無線が動作しているときとＩＳＭ無線が休眠しているときの両方で、ＬＴＥダウンリンク信号対干渉プラス雑音比（ＳＩＮＲ）、ＲＳＳＩ、干渉レベル、ダウンリンク復号誤り率、チャネル品質インデックス（ＣＱＩ）、スループット、スペクトル効率および／またはＬＴＥリンク品質の他のメトリックを評価し得る。ＵＥはまた、ＩＳＭ干渉ありおよびなしのＬＴＥ性能を評価するために、ＩＳＭトラフィックパターンおよびデューティサイクルを測定し得る。（ＩＳＭ無線が１００％のデューティサイクルを有する、すなわち、常に動作可能であるときなど）ＵＥが、ＩＳＭ干渉がないＬＴＥ性能を測定するのが困難である場合、ＩＳＭ無線は、ＩＳＭがないメトリックの適切な測定を保証するために、ある時間期間の間一時的にブランキングされ得る。ＩＳＭ干渉が、ある強度またはしきい値（たとえば、長さしきい値）に勝っていると判断された場合、ＵＥは共存インジケーションをトリガし得る。しきい値はまた、ｅノードＢによって与えられる共存解決策に関連する予想される改善の特性に依存し得る。たとえば、ｅノードＢが、各々についてのリソースの５０％をＬＴＥとＩＳＭとの間の時分割多重解決策に与えることが予想される場合、ＵＥは、ＩＳＭ干渉がある性能が、ＩＳＭ干渉がない性能よりも５０％以上悪い場合のみ共存インジケーションをトリガし得る。
【００７４】
旧来、ｅノードＢは、報告目的のために入来信号の何の測定が行われるべきかをＵＥに示す。一態様では、ＵＥは、バースト的干渉の存在を判断するために信号測定を自律的にスケジュールし得る。ｅノードＢまたはＵＥのいずれかによるスケジューリングが採用され得る。
【００７５】
バースト的干渉の存在下でデコーダ性能を向上させる方法も提供される。旧来、ＵＥがＬＴＥ信号のためのチャネル／干渉推定を実行するとき、ＬＴＥ  ＲＡＴは、測定された干渉が非サービングｅノードＢによって引き起こされたと仮定し得る。そのような非サービングセル干渉は、一般にバースト的でない（すなわち、そのような干渉はサブフレーム全体にわたって経験される）。バースト的干渉の存在下で、チャネル／干渉推定への変更は性能を改善することになる。干渉の低減のためにチャネル推定と干渉共分散行列推定とを向上させるための技法が提供される。
【００７６】
たとえば、ＵＥが、バースト的干渉（すなわち、いくつかのＯＦＤＭシンボルのみに影響を及ぼす干渉）の存在下で共分散行列推定のためにすべてのＯＦＤＭシンボルを使用する場合、推定された共分散行列と所与のＯＦＤＭシンボル上で経験される実際の干渉シグネチャとの間に不整合が生じ得る。この問題を回避するために、干渉共分散行列推定はＯＦＤＭシンボルごとに計算され得る。ＩＳＭ干渉のタイミングが知られている場合、干渉共分散行列推定は、ＩＳＭ干渉という問題があるサブフレームについて計算され得る。
【００７７】
チャネル推定のために、同様の手法が適用され得る。たとえば、チャネル推定フィルタ処理は、干渉を受けるＯＦＤＭシンボルに、それらの推定値がバースト的干渉のためにより信頼できなくなり得るように、より低い重みを与え得る。
【００７８】
共存判断以外のいくつかの通信シナリオでは、ＵＥは、サブフレーム中のすべてのシンボルにわたって（たとえば、ＲＳＳＩの）信号測定を実行することを望み得る。（高電力マクロ基地局および低電力ピコ基地局など）様々な電力クラスの基地局がネットワーク中に存在し得る異種ネットワークでは、移動局はサブフレーム中のすべてのシンボルにわたってＲＳＳＩを測定し得る。しかしながら、そのような測定は、同じ無線アクセス技術のｅノードＢ間で静的に構成されたサブフレーム上のすべてのシンボルにわたって行われる。そのような状況では、パイロット測定値は、パイロット信号のみを送信し得るオールモストブランクサブフレーム（ＡＢＳ）中の非パイロット測定値よりも高くなり得る。ＵＥによる非パイロット測定値は、ピコＲＳＳＩを判定するための、（非パイロット測定値よりも高いチャネル電力を有する）パイロット電力測定値よりも良好なサンプルを与え得る。したがって、異種ネットワークでは、ＵＥは、良好な非パイロット測定値を可能にするために、すべてのシンボルにわたって測定し得る。
【００７９】
部分ローディングシナリオでは、特定の基地局がＵＥの全能力をサービスしないことがあるとき、いくつかのサブフレームはパイロット信号のみを含んでいることがある。ＵＥが、そのような状態下で非パイロット信号を測定することを試みるとき、それらの信号は未使用であり得、ＵＥに低いＲＳＳＩのインジケーションを与える。しかしながら、この測定値は、信号が使用中のとき、信号強度の正しいインジケーションでないことがある。そのような部分ローディングは、非パイロット信号の場合よりもパイロット信号の場合に高い信号測定値をもたらし得る。補償するために、ＵＥは、すべてのシンボルにわたって測定し得、アクセスすべきネットワークを選定するために、ネットワークがどのくらいロードされるかを判断するためにパイロット信号と非パイロット信号の両方にわたって電力を平均化し得る。
【００８０】
本開示では、すべてのシンボルにわたるＲＳＳＩの測定は、経時的に干渉の変動の検出を可能にし、したがって、バースト的干渉の識別を可能にし、次いで、それにより、共存インジケーションをトリガし得る。さらに、すべてのシンボルにわたってＲＳＳＩを測定することは、ＵＥが、サブフレームにわたってパイロット測定値と非パイロット測定値との間を区別することを可能にする。干渉バーストが、測定中に使用されるすべてのサブフレームのためのパイロットと正確に重複しない限り（それは可能性が低いが）、パイロット測定値と非パイロット測定値とは、バースト的干渉を検出したときに同等になる可能性があり、バースト的干渉は、異種ネットワーク信号測定シナリオでは誤りである。パイロット測定値と非パイロット測定値とシンボル測定値との間の差異は、異種ネットワークシナリオと部分ローディングシナリオとバースト的干渉シナリオとの間で分類するときに役立ち得る。
【００８１】
一態様では、ＵＥは、信号測定値の分布が、図１１に示すような以下のステップを通してマルチモーダルであるかどうかを判断し得る。ブロック１１０２に示すように、最初に、ＵＥは、すべてのパイロット信号と非パイロット信号との信号品質を測定する。信号品質は、ＲＳＳＩ、ＣＱＩ、ＳＩＮＲ、または他の好適なメトリックを使用して測定され得る。測定シーケンスは、ベクトルＸn中でグループ化され得、Ｘn＝｛ｘ1、ｘ2、ｘ3…ｘn｝であり、ｘnは、時間ｎにおける測定信号値である。
【００８２】
次に、ブロック１１０４に示すように、ＵＥは、測定信号シーケンス中に最も頻繁に出現するセットＸn中の第１のモード値ｍ1を判断する。上述したように、信号は、ＲＳＳＩ、ＣＱＩ、ＳＩＮＲまたは何らかの他の好適なメトリックに対応し得るベクトルＸnに基づいて分類される。ｍ1を判断することは、測定信号シーケンスの同様の部分をビンにグループ化することと、最も多くの部分をもつビンを識別することとによって実行され得る。
【００８３】
ブロック１１０６に示すように、ｍ1の頻度（すなわち、ｍ1が測定信号シーケンス中で出現する回数）をｆ1として記録する。また、ブロック１１０６において、（以下で説明する）ｋの値を１に初期化する。ブロック１１０８に示すように、ＵＥは、次いで、ｍ1の近傍にある測定シーケンスの一部分を削除する。近傍ウィンドウのサイズは、測定シーケンス長、ｍ1の強度などを含む、いくつかのファクタに応じて変動し得る。
【００８４】
ブロック１１１０に示すように、ＵＥは、次いで、次に最も頻度が高いモードｍk+1を発見し、ｍk+1は、ブロック１１０８の近傍削除の後に測定信号シーケンスの残りの部分中に最も頻繁に生じる。次に、ブロック１１１２に示すように、ＵＥは、ｆk+1、すなわちｍk+1の頻度（すなわち、ｍk+1が測定信号シーケンス中で出現する回数）を記録する。
【００８５】
ブロック１１１４に示すように、次いで、ｆk+1をしきい値Ｔｈｒｅｓｈｏｌｄ1と比較する。Ｔｈｒｅｓｈｏｌｄ1は、モードの出現が、そのモードを、マルチモード信号を判断する際に有効と見なすのに十分である頻度レベルとして選定される。ｆk+1＜Ｔｈｒｅｓｈｏｌｄ1である場合、ブロック１１１８に示すように、ｋ個のモードを宣言し、プロセスが停止する。しかしながら、ｆk+1がＴｈｒｅｓｈｏｌｄ1以上である場合、ブロック１１１６に示すように、追加のモードを宣言し、次の潜在的モードを評価するためにｋを増分する。次いで、ブロック１１０８〜１１１４のプロセスは繰り返し、ｍk+1の周りの近傍が削除され、次のモードが識別され、それの頻度ｆk+2が記録される。その頻度ｆk+2は、次いで、Ｔｈｒｅｓｈｏｌｄ1と比較される。ｆk+2がＴｈｒｅｓｈｏｌｄ1よりも小さい場合、ｋ＋２個のモードが宣言され、プロセスが終了する。そうでない場合、頻度がＴｈｒｅｓｈｏｌｄ1よりも小さいこと、言い換えればｆn+1＜Ｔｈｒｅｓｈｏｌｄ1であることが発見されるまで、プロセスは続き、以下同様である。
【００８６】
Ｔｈｒｅｓｈｏｌｄ1は、固定であり得るか、ｆ1の関数であり得るか、または別の方法で判断され得る。たとえば、Ｔｈｒｅｓｈｏｌｄ1は、ｆ1のある程度のパーセンテージであると判断され得るか、または適応的に判断され得る。一態様では、共存インジケーションのトリガリングは、Ｔｈｒｅｓｈｏｌｄ1を超えるモードの数に基づき得る。別の態様では、共存インジケーションのトリガリングは、個々のモード頻度、またはそれらの間の距離に少なくとも部分的に基づき得る。
【００８７】
上記および図１１で説明したプロセスは、信号がマルチモーダルであるかどうかを判断するのに十分であり得る。しかしながら、さらなる処理においてモードが考慮されるべきかどうかを判断するために、それらのモードの相対強度を判断するためのさらなるプロセスが追加され得る。たとえば、あるモードが測定信号シーケンス中に頻繁に出現し得、したがって、図１１のプロセスにおいて識別され得る。（たとえば、ＲＳＳＩによって測定される）それの信号品質が比較的低い場合、そのモードは、後続の処理においてあまり重要でないことがある。
【００８８】
そのようなモードを削除するために、ＵＥは、以下で説明するようにモードメトリックを比較し得る。ＵＥは、メトリック間の距離ｄを計算し得る。一態様では、モードｉとモードｊとの間の距離ｄは、ｉ，ｊ＝１，２．．．ｎについてｄij＝｜ｍi−ｍj｜として表され得、ｎは、図１１のプロセスにおいて発見されるモードの数である。距離値ｄは、信号品質メトリックＲＳＳＩまたは他の値などのモードメトリックを直接比較することによって判断され得る。別の態様では、モードｉとモードｊとの間の距離ｄは、ｄij＝ｌｏｇ（ｍi／ｍj）として表され得、ｄは、スペクトル効率の差、比較されたＣＱＩの測度などを表し得る。ｄの他の値または計算が使用され得る。
【００８９】
距離の様々な比較とモードの数とに基づいて、ＵＥは、信号測定値がマルチモーダル分布であるかどうかを決定し得る。たとえば、２つのモード間の最も大きい距離が、しきい値を上回る場合（すなわち、ｍａｘ（ｄij）＞Ｔｈｒｅｓｈｏｌｄ2）、信号はマルチモーダルとして認識され得る。Ｔｈｒｅｓｈｏｌｄ2は、様々な方法に従って選定され得る。
【００９０】
モード間の距離を比較するプロセスは、簡単のために、または図１１の頻度判断が十分であると考えられる場合、たとえば、２つのモードが近傍ウィンドウ計算に基づいて十分に離れているとき、回避され得る。
【００９１】
信号測定値のいくつかの統計値に基づいて、ＵＥは、分析された信号部分中に受信された干渉バーストのサイズを分析することによって、干渉物の無線アクセス技術（ＲＡＴ）タイプを識別し得る。十分に粒度の細かい測定は、いくつかの干渉バーストが異なる時間サイズで起こると判断し得る。それらのサイズは、ＲＡＴを識別するために使用され得る。たとえば、干渉バーストが、長さが数百マイクロ秒である場合、干渉物はＷＬＡＮまたはＢｌｕｅｔｏｏｔｈであり得、干渉が１ｍｓバーストで出現する場合、ＬＴＥが干渉物であり得、以下同様である。
【００９２】
上記の測定信号シーケンスの分布は、長期バースト的干渉対短期バースト的干渉を識別するために、異なる時間スケール上で分析され得る。たとえば、潜在的な干渉ＲＡＴ（ＬＴＥ、ＷＬＡＮ、Ｂｌｕｅｔｏｏｔｈなど）に応じて、時間スケールは、そのＲＡＴからの潜在的干渉を隔離するための試みにおいて選択され得る。たとえば、短い通信バーストを有するＷＬＡＮのために、より短い時間スケールが選択され得るが、より長い通信バーストを有するＬＴＥのために、より長い時間スケールが選択され得る。また、複数の時間スケールが選択され得、それは、潜在的に複数の干渉ＲＡＴがあるときを含む、様々な理由で有用であり得る。また、分布は、パイロットシンボルまたは非パイロットシンボルにわたる測定値に分類され得る。
【００９３】
同様に、測定信号シーケンスは、周波数領域に分割され、サブバンドに分割され得、そこで、時間と出現数の両方において測定値が追跡され得る。所望のチャネルにわたる干渉の電力スペクトル密度は、周波数選択性であり得るので、周波数領域中で信号を分割することは、隣接チャネルからの干渉を検出するのを支援し得る。このようにして、ＵＥは、干渉が隣接チャネル中にあるかどうかを判断し得、共存マネージャへの共存トリガ中のその情報を識別し得る。
【００９４】
デバイス内干渉（すなわち、ＵＥ上のある無線が、ＵＥ上の別の無線の動作に干渉すること）の場合、干渉タイミングは知られ得る。たとえば、共存マネージャは、すべてのデバイス内無線の通信アクティビティに気づいていることがあり、したがって、デバイス内干渉のタイミングは知られ、および／または予測され得る。この場合、信号測定値は、デバイス内干渉がオンであるときと、デバイス内干渉がオフであるときとの測定値に分割され得る。さらなる分割は、特定の干渉ＲＡＴをカテゴリー分類し得る。たとえば、あるビンは、干渉がないＬＴＥ動作を含み得、別のビンは、知られているＢｌｕｅｔｏｏｔｈ干渉があるＬＴＥ動作を含み得、別のビンは、知られているＷＬＡＮ干渉があるＬＴＥ動作を含み得る。別の例では、１つのビンは、干渉がないＷＬＡＮ動作を含み得、別のビンは、ＬＴＥ干渉があるＷＬＡＮ動作を含み得、以下同様である。
【００９５】
別の態様では、ＵＥが、干渉を生じているＲＡＴを知らないことがあるが、干渉中に潜在的なパターンを検出するために、干渉の分布を分析し、それが経時的にどのように変動するかを分析し得る。たとえば、ＵＥは、干渉のモードの値と、そのモードがどのくらい頻繁に出現するかと、干渉バーストの長さと、バーストの長さの分布とを分析し得る。高干渉が識別されると、ＵＥは、パターンを検出することを試みるために、そのような高干渉の時間間隔ならびにバースト間の相互到着時間（inter-arrival time）を計数し得る。検出されたパターン、または個々のメトリック自体が、干渉を１つまたは複数の特定のＲＡＴに一致させることを試みるために分析され得る。
【００９６】
フォールスアラーム（false alarm）を回避するために、すなわち、マルチモーダル信号分布を間違って判断することを回避するために、いくつかの予防措置が取られ得る。チャネルの振幅が、短い時間期間中にかなり変動するとき、フォールスアラームが、高速フェージングの存在下で行われ得る。一態様では、高速フェージングによるフォールスアラームの可能性を低減するために、マルチモーダル分布は、高速フェージングによる変動がシングルモードとして出現するような十分に長いウィンドウにわたって分析され得る。さらに、マルチモーダル分布を分析するためのウィンドウは、平均経路損失分布が固定されるように、シャドーイング（遅いフェージング）コヒーレンス時間よりも小さくなるように設定され得る。別の態様では、（上記のデバイス内干渉の場合など）干渉タイミングが知られているとき、しきい値干渉検出器は、他のデバイス内ＲＡＴアクティビティが予想されない期間の間調整され得る。
【００９７】
図１２に示すように、ＵＥは、ブロック１２０２に示すように、測定された信号サンプル中のモードの数を検出する。ＵＥは、ブロック１２０４に示すように、検出することに少なくとも部分的に基づいて、信号がマルチモーダル分布を含んでいるときを判断する。ＵＥは、ブロック１２０６に示すように、判断することに少なくとも部分的に基づいて共存インジケーションを作成する。
【００９８】
図１３は、処理システム１３１４を採用する装置１３００のためのハードウェア実装形態の一例を示す図である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３２６によって表される１つまたは複数のプロセッサおよび／またはハードウェアモジュールと、検出モジュール１３０２と、判断モジュール１３０４と、作成モジュール１３０６と、コンピュータ可読媒体１３２８とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００９９】
本装置は、トランシーバ１３２２に結合された処理システム１３１４を含む。トランシーバ１３２２は、１つまたは複数のアンテナ１３２０に結合される。トランシーバ１３２２は、送信媒体を介して様々な他の装置と通信するための手段を与える。処理システム１３１４は、コンピュータ可読媒体１３２８に結合されたプロセッサ１３２６を含む。プロセッサ１３２６は、コンピュータ可読媒体１３２８に記憶されたソフトウェアの実行を含む一般的な処理を担当する。ソフトウェアは、プロセッサ１３２６によって実行されたとき、処理システム１３１４に、特定の装置のための上記で説明した様々な機能を実行させる。コンピュータ可読媒体１３２８はまた、ソフトウェアを実行するときにプロセッサ１３２６によって操作されるデータを記憶するために使用され得る。処理システム１３１４は、測定された信号サンプル中のモードの数を検出するための検出モジュール１３０２をさらに含む。処理システム１３１４は、検出することに少なくとも部分的に基づいて、信号がマルチモーダル分布を含んでいるときを判断するための判断モジュール１３０４をさらに含む。処理システム１３１４は、判断することに少なくとも部分的に基づいて共存インジケーションを作成するための作成モジュール１３０６をさらに含む。検出モジュール１３０２と判断モジュール１３０４と作成モジュール１３０６とは、プロセッサ１３２６中で動作するか、コンピュータ可読媒体１３２８中に常駐する／記憶されたソフトウェアモジュールであるか、プロセッサ１３２６に結合された１つまたは複数のハードウェアモジュールであるか、またはそれらの何らかの組合せであり得る。処理システム１３１４は、ＵＥ２５０の構成要素であり得、メモリ２７２および／またはプロセッサ２７０を含み得る。
【０１００】
一構成では、ワイヤレス通信のための装置１３００は、検出するための手段を含む。本手段は、本手段によって具陳された機能を実行するように構成された装置１３００の検出モジュール１３０２、共存マネージャ６４０、メモリ２７２、プロセッサ２７０／１３２６、コンピュータ可読媒体１３２８、アンテナ２５２／１３２０、受信機２５４、トランシーバ１３２２、および／または処理システム１３１４であり得る。別の態様では、上述の手段は、上述の手段によって具陳された機能を実行するように構成された任意のモジュールまたは任意の装置であり得る。
【０１０１】
一構成では、ワイヤレス通信のための装置１３００は、判断するための手段と作成するための手段とを含む。本手段は、本手段によって具陳された機能を実行するように構成された装置１３００の判断モジュール１３０４、作成モジュール１３０６、共存マネージャ６４０、メモリ２７２、プロセッサ２７０／１３２６、コンピュータ可読媒体１３２８、および／または処理システム１３１４であり得る。別の態様では、上述の手段は、上述の手段によって具陳された機能を実行するように構成された任意のモジュールまたは任意の装置であり得る。
【０１０２】
上記の例は、ＬＴＥシステムにおいて実装される態様について説明するものである。ただし、本開示の範囲はそのように限定されない。様々な態様は、限定はしないが、ＣＤＭＡシステム、ＴＤＭＡシステム、ＦＤＭＡシステム、およびＯＦＤＭＡシステムを含む様々な通信プロトコルのいずれかを採用した通信システムなど、他の通信システムとともに使用するように適応され得る。
【０１０３】
開示したプロセスにおけるステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１０４】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０５】
さらに、本明細書で開示する態様に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１０６】
本明細書で開示する態様に関して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサあるいは任意の他のそのような構成として実装され得る。
【０１０７】
本明細書で開示する態様に関して説明する方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１０８】
開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］
測定された信号サンプル中のモードの数を検出することと、
前記検出することに少なくとも部分的に基づいて、信号がマルチモーダル分布を含んでいるときを判断することと、
前記判断することに少なくとも部分的に基づいて共存インジケーションを作成することと
を備える、ワイヤレス通信のための方法。
［Ｃ２］
前記検出することは、
前記測定された信号サンプル中の第１のモードを識別することと、
前記測定された信号サンプル中の前記第１のモードの第１の出現頻度を判断することと、
前記測定された信号サンプルの一部分中の第２のモードを識別することと、
前記測定された信号サンプルの前記一部分中の前記第２のモードの第２の出現頻度を判断することと
を備え、
前記信号が前記マルチモーダル分布を含んでいるときを判断することは、前記第２の出現頻度がしきい値を上回ることに少なくとも部分的に基づく、
［Ｃ１］に記載の方法。
［Ｃ３］
前記しきい値は、前記第１の出現頻度に少なくとも部分的に基づく、
［Ｃ２］に記載の方法。
［Ｃ４］
前記共存インジケーションを前記作成することは、前記第１の出現頻度および／または前記第２の出現頻度に少なくとも部分的にさらに基づく、
［Ｃ２］に記載の方法。
［Ｃ５］
前記信号が前記マルチモーダル分布を含んでいるときを判断することは、前記第１のモードと前記第２のモードとのメトリック値が少なくとも第２のしきい値だけ異なることに少なくとも部分的に基づく、
［Ｃ２］に記載の方法。
［Ｃ６］
前記メトリック値は、信号品質値を備える、
［Ｃ５］に記載の方法。
［Ｃ７］
共存メッセージをサービング基地局に送信することをさらに備え、前記共存メッセージは、前記共存インジケーションを備える、
［Ｃ１］に記載の方法。
［Ｃ８］
前記共存メッセージは、前記測定された信号サンプル中のモードの測定された数、干渉無線アクセス技術（ＲＡＴ）の信号強度、前記干渉ＲＡＴのデューティサイクル、または前記干渉ＲＡＴのタイプのうちの少なくとも１つをさらに備える、
［Ｃ７］に記載の方法。
［Ｃ９］
前記測定された信号サンプルに少なくとも部分的に基づいて干渉無線アクセス技術（ＲＡＴ）を識別することをさらに備える、
［Ｃ１］に記載の方法。
［Ｃ１０］
前記干渉ＲＡＴは、前記干渉ＲＡＴの干渉バースト長、デューティサイクル、あるいは他の時間または周波数特徴のうちの少なくとも１つに少なくとも部分的に基づいて識別される、
［Ｃ１］に記載の方法。
［Ｃ１１］
前記共存インジケーションを作成することは、複数のデバイス内無線アクセス技術（ＲＡＴ）の同時動作に少なくとも部分的にさらに基づく、
［Ｃ１］に記載の方法。
［Ｃ１２］
前記信号サンプルは、パイロットシンボルと非パイロットシンボルとにわたって測定される、
［Ｃ１］に記載の方法。
［Ｃ１３］
測定された信号サンプル中のモードの数を検出するための手段と、
前記検出することに少なくとも部分的に基づいて、信号がマルチモーダル分布を含んでいるときを判断するための手段と、
前記判断することに少なくとも部分的に基づいて共存インジケーションを作成するための手段と
を備える、ワイヤレス通信のための装置。
［Ｃ１４］
前記検出するための手段は、
前記測定された信号サンプル中の第１のモードを識別するための手段と、
前記測定された信号サンプル中の前記第１のモードの第１の出現頻度を判断するための手段と、
前記測定された信号サンプルの一部分中の第２のモードを識別するための手段と、
前記測定された信号サンプルの前記一部分中の前記第２のモードの第２の出現頻度を判断するための手段と
を備え、
前記信号が前記マルチモーダル分布を含んでいるときを判断するための前記手段は、前記第２の出現頻度がしきい値を上回ることに少なくとも部分的に基づく、
［Ｃ１３］に記載の装置。
［Ｃ１５］
ワイヤレスネットワークにおけるワイヤレス通信のためのコンピュータプログラム製品であって、
非一時的プログラムコードを記録したコンピュータ可読媒体を備え、前記プログラムコードは、
測定された信号サンプル中のモードの数を検出するためのプログラムコードと、
前記検出することに少なくとも部分的に基づいて、信号がマルチモーダル分布を含んでいるときを判断するためのプログラムコードと、
前記判断することに少なくとも部分的に基づいて共存インジケーションを作成するためのプログラムコードと
を備える、コンピュータプログラム製品。
［Ｃ１６］
検出するための前記プログラムコードは、
前記測定された信号サンプル中の第１のモードを識別するためのプログラムコードと、
前記測定された信号サンプル中の前記第１のモードの第１の出現頻度を判断するためのプログラムコードと、
前記測定された信号サンプルの一部分中の第２のモードを識別するためのプログラムコードと、
前記測定された信号サンプルの前記一部分中の前記第２のモードの第２の出現頻度を判断するためのプログラムコードと
を備え、
前記信号が前記マルチモーダル分布を含んでいるときを判断するための前記プログラムコードは、前記第２の出現頻度がしきい値を上回ることに少なくとも部分的に基づく、［Ｃ１５］に記載のコンピュータプログラム製品。
［Ｃ１７］
メモリと、
前記メモリに結合された少なくとも１つのプロセッサであって、
測定された信号サンプル中のモードの数を検出することと、
前記検出することに少なくとも部分的に基づいて、信号がマルチモーダル分布を含んでいるときを判断することと、
前記判断することに少なくとも部分的に基づいて共存インジケーションを作成することと
を行うように構成される少なくとも１つのプロセッサと
を備える、ワイヤレス通信のための装置。
［Ｃ１８］
検出するためのプログラムコードは、
前記測定された信号サンプル中の第１のモードを識別することと、
前記測定された信号サンプル中の前記第１のモードの第１の出現頻度を判断することと、
前記測定された信号サンプルの一部分中の第２のモードを識別することと、
前記測定された信号サンプルの前記一部分中の前記第２のモードの第２の出現頻度を判断することと
を備え、
前記信号が前記マルチモーダル分布を含んでいるときを判断するように構成された前記少なくとも１つのプロセッサは、前記第２の出現頻度がしきい値を上回ることに少なくとも部分的に基づく、
［Ｃ１７］に記載の装置。
［Ｃ１９］
前記しきい値は、前記第１の出現頻度に少なくとも部分的に基づく、
［Ｃ１８］に記載の装置。
［Ｃ２０］
前記共存インジケーションを前記作成するように構成された前記少なくとも１つのプロセッサは、前記第１の出現頻度および／または前記第２の出現頻度に少なくとも部分的にさらに基づく、
［Ｃ１８］に記載の装置。
［Ｃ２１］
前記信号が前記マルチモーダル分布を含んでいるときを判断するように構成された前記少なくとも１つのプロセッサは、前記第１のモードと前記第２のモードとのメトリック値が少なくとも第２のしきい値だけ異なることに少なくとも部分的に基づく、
［Ｃ１８］に記載の装置。
［Ｃ２２］
前記メトリック値は、信号品質値を備える、
［Ｃ２１］に記載の装置。
［Ｃ２３］
前記少なくとも１つのプロセッサは、共存メッセージをサービング基地局に送信するようにさらに構成され、前記共存メッセージは、前記共存インジケーションを備える、
［Ｃ１８］に記載の装置。
［Ｃ２４］
前記共存メッセージは、前記測定された信号サンプル中のモードの測定された数、干渉無線アクセス技術（ＲＡＴ）の信号強度、前記干渉ＲＡＴのデューティサイクル、または前記干渉ＲＡＴのタイプのうちの少なくとも１つをさらに備える、
［Ｃ２３］に記載の装置。
［Ｃ２５］
前記少なくとも１つのプロセッサは、前記測定された信号サンプルに少なくとも部分的に基づいて干渉無線アクセス技術（ＲＡＴ）を識別するようにさらに構成される、
［Ｃ１８］に記載の装置。
［Ｃ２６］
前記干渉ＲＡＴは、前記干渉ＲＡＴの干渉バースト長、デューティサイクル、あるいは他の時間または周波数特徴のうちの少なくとも１つに少なくとも部分的に基づいて識別される、
［Ｃ１８］に記載の装置。
［Ｃ２７］
前記共存インジケーションを作成することは、複数のデバイス内無線アクセス技術（ＲＡＴ）の同時動作に少なくとも部分的にさらに基づく、
［Ｃ１８］に記載の装置。
［Ｃ２８］
前記信号サンプルは、パイロットシンボルと非パイロットシンボルとにわたって測定される、
［Ｃ１８］に記載の装置。
【図１】
0005823636.tif 000002
【図２】
0005823636.tif 000003
【図３】
0005823636.tif 000004
【図４】
0005823636.tif 000005
【図５】
0005823636.tif 000006
【図６】
0005823636.tif 000007
【図７】
0005823636.tif 000008
【図８】
0005823636.tif 000009
【図９】
0005823636.tif 000010
【図１０】
0005823636.tif 000011
【図１１】
0005823636.tif 000012
【図１２】
0005823636.tif 000013
【図１３】
0005823636.tif 000014